(57)【要約】【課題】専用の挿口、受口を形成する必要がなく、水密性を維持した状態で、接続している管の変位を吸収することができる耐震管継手を提供する。【解決手段】外面が平滑な二つの管の各接続側端部が挿入される筒状の継手本体４と、一つ割りまたは複数割りに分割され、分割部分に接続部を有し、接続側端部を覆っている継手本体の外面に装着される固定金具５，６と、固定金具の接続部を連結して締め付けることにより、継手本体を介し二つの管の接続側端部を固定金具で固定する締結部品７，８とを有し、継手本体が弾性部材からなり、その筒軸方向中央部に、継手本体内側に向けて断面Ｕ字状に膨出し周方向には環状に連続する伸縮部４ａが備えられ、その伸縮部の開口側各端部が、切断・延伸・収縮しやすく形成された連結部４ｄによってカバーされていることを特徴とする。【選択図】図１
2013019463.tif 000002
【特許請求の範囲】
【請求項１】
外面が平滑な二つの管の各接続側端部が挿入される筒状の継手本体と、
一つ割りまたは複数割りに分割され、分割部分に相互が一対となる接続部を有し、上記接続側端部を覆っている上記継手本体の外面に装着される固定金具と、
上記固定金具の上記接続部を連結して締め付けることにより、上記継手本体を介し上記二つの管の接続側端部を上記固定金具で固定する締結部品とを有し、
上記継手本体が弾性部材からなり、その筒軸方向中央部に、継手本体内側に向けて断面Ｕ字状に膨出し周方向には環状に連続する伸縮部が備えられ、その伸縮部の開口側各端部が、切断・延伸・収縮しやすく形成された連結部によってカバーされていることを特徴とする耐震管継手。
【請求項２】
上記連結部の厚さが０．５〜５．０ｍｍの範囲である請求項１に記載の耐震管継手。
【請求項３】
上記接続側端部を覆っている上記継手本体の内面に粘着層が設けられている請求項１または２に記載の耐震管継手。
【発明の詳細な説明】
【技術分野】
【０００１】
本発明は、地中埋設用の合成樹脂管を接続する耐震管継手に関するものである。
【背景技術】
【０００２】
従来、図４に示すように、挿口５０をその挿口５０の外径よりも有意に大きい内径を有するように形成された受口５１に挿入して管同士を接続する耐震継手が知られている。
【０００３】
この種の耐震継手では、挿口５０を受口５１内に挿入すると、挿口５０の先端部外周に形成された挿口突部５０ａが、受口５１に設けられたロックリング５１ａを押し拡げるようにして受口奥部に進入し、接続が完了する。このような接続構造の下では地震によって継手部分に抜け出し方向の力が作用しても、挿口突部５０ａが後退して受口５１のロックリング５１ａと当接するまでは、管長について数％の伸びが許容されるようになっている（例えば、特許文献１参照）。
【０００４】
なお、図４において、符号５１ｂはロックリング５１ａを支持している芯出しゴムであり、５１ｃは受口５１の開口側端部の内壁に収納されたシール用ゴムである。
【先行技術文献】
【特許文献】
【０００５】
【特許文献１】特開２００３−１８５０６８号公報
【発明の概要】
【発明が解決しようとする課題】
【０００６】
しかしながら、上記した従来の耐震継手では、挿口５０を受口５１に接続するにあたり、挿口突部５０ａを通過させるためのクリアランスを挿口外面と受口内面との間に設ける必要があるため、そのクリアランスが、挿口５０を受口５１に接続した後も隙間として残る。
【０００７】
したがって、挿口５０と受口５１が接続された状態で地盤の垂直方向の変動によって挿口５０と受口５１に大きさの異なる荷重が作用すると、シール用ゴム５１ｃの圧縮性が周方向で不均一となり、その結果、水密性が保てなくなるという問題がある。
【０００８】
また、上記耐震継手では、接続対象となる管の一方端部に専用の挿口を形成し、他方端部に専用の受口を形成しなければならず、このような特殊な継手構造は、円筒状の管同士を接続する場合に比べ、構成が複雑になり地中埋設管の管路を設計する際に制約を受けるという問題もある。
【０００９】
本発明は以上のような従来の耐震継手における課題を考慮してなされたものであり、専用の挿口、受口を形成する必要がなく、しかも水密性を維持したまま、管路全体の変位を吸収することができる耐震管継手を提供するものである。
【課題を解決するための手段】
【００１０】
本発明は、外面が平滑な二つの管の各接続側端部が挿入される筒状の継手本体と、
一つ割りまたは複数割りに分割され、分割部分に相互が一対となる接続部を有し、上記接続側端部を覆っている上記継手本体の外面に装着される固定金具と、
上記固定金具の上記接続部を連結して締め付けることにより、上記継手本体を介し上記二つの管の接続側端部を上記固定金具で固定する締結部品とを有し、
上記継手本体が弾性部材からなり、その筒軸方向中央部に、継手本体内側に向けて断面Ｕ字状に膨出し周方向には環状に連続する伸縮部が備えられ、その伸縮部の開口側各端部が、切断・延伸・収縮しやすく形成された連結部によってカバーされている耐震管継手である。
【００１１】
本発明において、上記連結部の厚さは０．５〜５．０ｍｍの範囲であることが好ましい。なお、５．０ｍｍを上回る場合であっても、連結部に切断・延伸・収縮しやすいような切り込みを設ければ、切断・延伸・収縮しやすいという効果を得ることができる。なお、切り込み以外にも、連結部の一部を局所的に薄肉にすることも考られる。一方、連結部の厚さが０．５ｍｍを下回った場合には、成形が行いにくいことに加えて、管と継手本体を埋設する際に破断してしまう虞がある。
【００１２】
本発明において、上記接続側端部を覆っている上記継手本体の内面に粘着層もしくは一体成形された軟質合成ゴム等を設けることが好ましい。粘着層を設けると、管成形時に表面に形成される凹凸を吸収したり、締結部品で締め付けた際のねじれ・しわの発生を防止することができる。
【発明の効果】
【００１３】
本発明によれば、管の接続側端部に専用の挿口、受口を形成する必要がなく、水密性を維持した状態で、接続している管の変位を吸収することができるという長所を有する。
【図面の簡単な説明】
【００１４】
【図１】本発明に係る耐震管継手の構成を、中心軸より上方を切断して示す正面図である。
【図２】図１の継手本体の構成を示す拡大断面図である。
【図３】(ａ)〜(ｃ)は耐震管継手が、接続している管の変位を吸収する様子を示す説明図である。
【図４】従来の耐震継手の構成を、中心軸より上方を切断して示す正面図である。
【発明を実施するための形態】
【００１５】
以下、図面に示した実施の形態に基づいて本発明を詳細に説明する。
【００１６】
図１は本発明に係る耐震管継手の構成を示すものであり、複合管（管）の中心線ＣＬより上側は断面構造を示し、中心線より下側は外観を示している。
【００１７】
同図に示す耐震管継手１は、若干隙間を空けて挿入された複合管２、３の各接続側端部を接続するようになっている。
【００１８】
（１）複合管
接続対象となる複合管２の構成は本発明を制限するものではないが、例えば、高密度ポリエチレンからなる管体を金属補強材で補強したものが好ましい。詳しくは、高密度ポリエチレンからなる内管２ａの外周面に、高密度ポリエチレンからなる断面凸状の補強部２ｂが螺旋状に巻回され、その補強部２ｂの山部２ｃに同じく高密度ポリエチレンからなる外管２ｄが架け渡され、内管２ａの内面および外管２ｄの外面がそれぞれ平滑（フラット）な構成となっている。
【００１９】
外管２ｄ内にはその外管２ｄと一体に金属補強材２ｅが埋設されており、複合管２の変形に追従しながら外力に対抗できるようになっている。
【００２０】
複合管３は複合管２と同じ構成からなり、３ａは内管、３ｂは補強部、３ｃは山部、３ｄは外管、３ｅは金属補強材である。
【００２１】
（２）耐震管継手
（２-１）耐震管継手の構成
耐震管継手１は、対向配置された複合管２の接続側端部２ｆと複合管３の接続側端部３ｆとが両側から挿入される筒状の継手本体４と、複合管挿入後に、それら接続側端部２ｆ、３ｆを覆っている継手本体４の外面に装着される金属製のカラー（固定金具）５、６と、それらカラー５、６をそれぞれ周方向に締め付ける締結部品７、８とから主として構成されている。
【００２２】
（２-２）継手本体
図２は上記継手本体４を拡大した断面図である。
【００２３】
同図において、継手本体４は弾性部材、例えばＣＲ、ＥＰＤＭ、ＳＢＲ、ＮＢＲ、フッ素ゴム、シリコンゴム等の合成ゴムを筒状に成型したものからなり、管軸方向中央部に伸縮部４ａが設けられている。
【００２４】
この伸縮部４ａは、継手本体４の内側に向けて断面Ｕ字状に膨出しており、円周方向には環状に連続する凸条を形成している。
【００２５】
本発明に係る耐震管継手の特徴の一つは、上記伸縮部４ａの開口側各端部（環状溝部）が、切断・延伸・収縮しやすく形成された連結部４ｄによってカバーされていることにある。
【００２６】
図１に示したように、上記伸縮部４ａは連結部４ｄによってカバーされているため、複合管２、３を接続した継手本体４の周囲に土砂を埋め戻す際は、埋め戻しの土砂が伸縮部４ａの中空部分Ｓ内に進入することが防止される。一方、地震等によって地盤が変動し、例えば複合管２、３が離れる方向に変位した場合は、連結部４ｄが切断または延伸され、伸縮部４ａが自由に変形することにより変位を吸収するようになっている。なお、変位のパターンについては後述する。
【００２７】
したがって、上記連結部４ｄは切断しやすい構成であることが必要である。本実施形態では伸縮部４ａの厚さｔを５〜１５ｍｍとし、切断しやすい連結部４ｄの厚さｔ′を０．５〜５．０ｍｍの範囲に設定している。
【００２８】
なお、切断しやすい構成としては、連結部４ｄの厚さを薄くすることに限らず、連結部４ｄの一部にノッチのような切り込みを設けることもできる。
【００２９】
図２において、伸縮部４ａの左側には複合管２の接続側端部２ｆ（図１参照）を覆うことができる管被着部４ｅが形成され、右側には複合管３の接続側端部３ｆ（図１参照）に被着される管被着部４ｆが形成されている。
【００３０】
管被着部４ｅ、４ｆの外面には浅い凹部４ｇ、４ｈが形成されており、これらの凹部４ｇ，４ｈにカラー５、６（図１参照）を装着することにより、カラー５、６の位置決めができるとともに、管被着部４ｅ、４ｆとの間のずれを防止しながら継手本体４を複合管２、３に対し確実に締め付けることができるようになっている。
【００３１】
一方、管被着部４ｅ、４ｆの内面には若干隆起する状態で隆起部４ｉ、４ｊが形成されており、これらの隆起部４ｉ、４ｊには浅い凹部４ｋ、４ｌが形成されており、これらの凹部４ｋ、４ｌには例えば加硫していない状態のブチルゴム、両面テープ、一体成形した軟質ゴム等からなるシート状の粘着層４ｍ、４ｎが貼着されている。
【００３２】
それにより、継手本体４の両側から複合管２、３を挿入し、継手本体４を複合管２、３に対して締め付けると、まず、粘着層４ｍ、４ｎが複合管２、３の接続側端部２ｆ、３ｆ（図１参照）と当接するようになっている。
【００３３】
なお、４ｏ、４ｐは複合管２、３の挿入を容易にさせるためのテーパ部である。
【００３４】
（２-３）カラー
図１において、カラー５は例えばステンレス鋼製からなる上下一対の帯板状鋼板からなり、複合管２の接続側端部２ｆを被覆している継手本体４の外面に装着されるようになっている。
【００３５】
また、上下一対のカラー５は接続された際にその接続部分に重ね代が確保できる長さに形成されている。
【００３６】
上側から装着されるカラー５の円周方向各端部には直径方向にフランジ部５ａが突出して形成されており、下側から装着されるカラー５の円周方向各端部にも同様にフランジ部５ａが突出して形成されており、一対のカラー５を組み合わせると、フランジ部５ａが対向する（図１の手前側および奥側）ようになっている。これら対向するフランジ部５ａには後述するボルトを挿通するための貫通孔が設けられている。
【００３７】
（２-４）締結部品
上記対向するフランジ部５ａの貫通孔には締結部品７としての六角頭付きボルト７ａの首部が挿入され、ナット７ｂで締め付け固定されるようになっている。
【００３８】
なお、カラー６およびその締結部品８は、上記カラー５および締結部品７と同じ構成であるため説明を省略する。
【００３９】
（３）耐震管継手の動作
図３(ａ)〜(ｃ)は、耐震管継手１に接続されている複合管２、３が変位した場合の継手本体４の追従状態を示す説明図である。
【００４０】
同図(ａ)は、複合管２、３が施工時よりも接近する方向に変位した場合の、継手本体４の追従状態を示すものである。
【００４１】
複合管２、３の目地幅５０ｍｍが３０ｍｍ縮んだ場合、中空の伸縮部４ａは密着し、連結部４ｄは中空部分の圧力が増加した状態で収縮または折れ曲がる。
【００４２】
なお、上記目地幅５０ｍｍは、施工時における複合管２、３の接続側端部同士の間隔である。
【００４３】
同図(ｂ)は、複合管２、３の接続側端部が施工時よりも離間する方向に変位した場合の継手本体４の追従状態を示したものである。
【００４４】
目地幅５０ｍｍがさらに３０ｍｍ伸びた場合、連結部４ｄは引張荷重に耐え切れずに破断し、Ｕ字状の伸縮部４ａは円弧状に変位するが、管被着部４ｅは複合管２に追従し、管被着部４ｆは複合管３に追従している。
【００４５】
同図(ｃ)は一方の複合管３の地盤が沈下した場合の継手本体４の追従状態を示した説明図である。
【００４６】
複合管３の地盤が５０ｍｍ沈下した場合、連結部４ｄは斜め下方向に加わる引張荷重に耐え切れずに破断し、Ｕ字状の伸縮部４ａはフック状に変位するが、管被着部４ｅは複合管２に追従し、管被着部４ｆは複合管３に追従している。
【００４７】
このように、連結部４ｄは、伸縮部４ａの中空部分Ｓ（図）をカバーすることにより複合管２、３を接続する際には土砂が中空の伸縮部４ａ内に進入するのを防止しているが、地震等によって地盤がさらに大きく変動し、複合管２と３の接続側端部がさらに大きく変位した場合には、自ら切断してその変位を吸収するようになっている。
【００４８】
それにより、耐震管継手の耐震性能を高めることができるようになっている。
【符号の説明】
【００４９】
１    耐震管継手
２，３    複合管（管）
２ａ  内管
２ｂ  補強部
２ｃ  山部
２ｄ  外管
２ｅ  金属補強材
２ｆ  接続側端部
４    継手本体
４ａ  伸縮部
４ｂ  内面
４ｃ  仕切外周部
４ｄ  連結部
４ｅ，４ｆ  管被着部
４ｇ，４ｈ  凹部
４ｍ，４ｎ  粘着層
５，６  カラー(固定金具)
７，８  締結部品
【図１】
2013019463.tif 000003
【図２】
2013019463.tif 000004
【図３】
2013019463.tif 000005
【図４】
2013019463.tif 000006